(57)【要約】【課題】  地震や台風等の大規模な災害発生時等の非常時であっても、撮影装置で撮影された画像を確認することが可能な情報管理システム、情報管理装置及び情報管理方法を提供する。【解決手段】  本発明によれば、撮影装置と、撮影装置と通信可能な情報管理装置と、情報管理装置と通信可能な検像装置とを含み、非常時、情報管理装置と検像装置との通信が切断され、撮影装置から送信される情報が情報管理装置に格納される情報管理システムが提供される。【選択図】図３
2016206815.tif 000002
【特許請求の範囲】
【請求項１】
撮影装置と、
撮影装置と通信可能な情報管理装置と、
情報管理装置と通信可能な検像装置とを含み、
非常時、情報管理装置と検像装置との通信が切断され、
撮影装置から送信される情報が情報管理装置に格納される情報管理システム。
【請求項２】
情報管理装置と通信可能なクライアント端末をさらに含み、
情報管理装置に格納された情報をクライアント端末で閲覧可能である請求項１に記載の情報管理システム。
【請求項３】
検像装置と通信可能な記憶装置をさらに含み、
通常時、検像装置から送信された情報が記憶装置に格納される請求項１又は２に記載の情報管理システム。
【請求項４】
情報管理装置が、検像装置の機能を有し、記憶装置と通信可能である請求項３に記載の情報管理システム。
【請求項５】
情報管理装置に格納された情報を、クライアント端末の操作により修正可能である請求項１から４のいずれか一項に記載の情報管理システム。
【請求項６】
撮影装置が、医用画像撮影装置である請求項１から５のいずれか一項に記載の情報管理システム。
【請求項７】
撮影装置から送信される情報は、被検者の情報を含む付帯情報を含む請求項１から６のいずれか一項に記載の情報管理システム。
【請求項８】
複数台の情報管理装置が通信網を介して接続されるか又は情報管理装置間で通信可能であり、情報管理装置間で情報を共有可能である請求項１から７のいずれか一項に記載の情報管理システム。
【請求項９】
情報管理装置とクライアント端末とが、通信網を介さずに直接に通信可能である請求項１から８のいずれか一項に記載の情報管理システム。
【請求項１０】
記憶装置に格納された情報をクライアント端末で閲覧可能である請求項３から９のいずれか一項に記載の情報管理システム。
【請求項１１】
クライアント端末の操作により、撮影装置から送信される情報に関連付けられる二次情報を情報管理装置に格納可能である請求項１から１０のいずれか一項に記載の情報管理システム。
【請求項１２】
二次情報は、被検者のトリアージタグの色、被検者の状態を含む請求項１から１１のいずれか一項に記載の情報管理システム。
【請求項１３】
クライアント端末が撮像部を備え、撮像部から入力された画像又は動画を含む情報を、撮影装置から送信される情報と関連付けて情報管理装置に格納可能である請求項１から１２のいずれか一項に記載の情報管理システム。
【請求項１４】
撮影装置及びクライアント端末と通信可能な情報管理装置であって、
非常時、撮影装置から送信される情報を格納して、クライアント端末からの要求に応じて、格納された情報をクライアント端末へ送信する情報管理装置。
【請求項１５】
検像装置と通信可能であり、
通常時、撮影装置から送信される情報が格納されずに、検像装置へ送信される請求項１４に記載の情報管理装置。
【請求項１６】
検像装置の機能を有し、通常時、情報管理装置と通信可能な記憶装置に情報を送信する請求項１４又は１５に記載の情報管理装置。
【請求項１７】
情報管理装置に格納された情報を、クライアント端末の操作により修正可能である請求項１４から１６のいずれか一項に記載の情報管理装置。
【請求項１８】
複数台の情報管理装置が通信網を介して接続されるか又は情報管理装置間で通信可能であり、情報管理装置間で情報を共有可能である請求項１４から１７のいずれか一項に記載の情報管理装置。
【請求項１９】
情報管理装置とクライアント端末とが、通信網を介さずに直接に通信可能である請求項１４から１８のいずれか一項に記載の情報管理装置。
【請求項２０】
撮影装置と、
撮影装置と通信可能な情報管理装置と、
情報管理装置と通信可能な検像装置と、
情報管理装置と通信可能なクライアント端末とを含む情報管理システムにおける情報管理方法であって、
非常時、情報管理装置と検像装置との通信を切断し、
撮影装置から送信される情報を情報管理装置内に格納し、クライアント端末から情報管理装置内に格納された情報を閲覧可能な状態とする情報管理方法。
【請求項２１】
撮影装置が、医用画像撮影装置である請求項２０に記載の情報管理方法。
【請求項２２】
撮影装置から送信される情報は、被検者の情報を含む付帯情報を含む請求項２０又は２１に記載の情報管理方法。
【請求項２３】
複数台の情報管理装置が通信網を介して接続されるか又は情報管理装置間で通信可能であり、情報管理装置間で情報を共有可能である請求項２０から２２のいずれか一項に記載の情報管理方法。
【請求項２４】
情報管理装置とクライアント端末とが、通信網を介さずに直接に通信可能である請求項２０から２３のいずれか一項に記載の情報管理方法。
【発明の詳細な説明】
【技術分野】
【０００１】
本発明は、情報管理システム、情報管理装置及び情報管理方法に関する。
【背景技術】
【０００２】
病院等の機関では、病院内LAN等の所定のネットワーク内で情報を利用するために、HIS（Hospital Information System：病院情報システム）を採用している。
例えば放射線検査を行う場合、医師から放射線技師への指示は、HISで検査オーダを入力して、検査オーダの情報をRIS（Radiology Information System：放射線情報システム）に送信することで行われる。HISから送信される検査オーダには、検査にかかわる情報、例えば患者に関する情報や検査内容等の情報も含まれる。HISでは、検査オーダの情報管理の他にも、電子カルテや会計情報の管理も可能であり、会計処理の短縮や診療情報の蓄積等の業務の効率化が図れる。RISは、HISから送信された検査オーダに関する機能、放射線検査装置等の装置・機器に関する機能を備える。
【０００３】
図１は、HIS及びRISを利用した一般的なシステム１００の構成を示している。このようなシステムにおいて、放射線検査装置で撮影された画像系情報は、以下の流れで処理される。
【０００４】
先ず、HIS１０１からの検査オーダに従い、RIS１０２から患者情報を撮影装置（モダリティ）１０３に送る（患者情報は、MWMという規格に則って送るのが一般的である）。撮影装置１０３で患者を撮影して、撮影画像（DICOM画像）が作成し、この撮影画像を検像装置１０４へ送信する。検像装置１０４では、撮影画像自体のチェックや、間違った患者情報が登録されてないか等といったことの確認を行う。必要であれば検像装置で画像を編集し、撮影画像をPACS１０５（Picture Archiving and Communication System：画像保管管理システム）に送る（DICOM通信するのが一般的である）。後に画像を参照するときには、クライアント１０６からPACS１０５に問い合わせ、情報を受信する。
【発明の概要】
【発明が解決しようとする課題】
【０００５】
通常時は、上記のような流れで処理が行われるが、地震や台風等の大規模な災害発生時であって、システムの一部が使用不可能な場合には処理の流れが異なる（図２）。
【０００６】
例えば、HIS２０１が止まっている場合、新規患者の登録ができないため、システムの付番ルールでは絶対に被らない番号等の緊急用の番号を付番し、後日患者番号を付け替えることが考えられる。又は、システムに患者番号を登録せず、復旧してから事後入力するか、システムへの入力をあきらめて紙で記録することも考えられる。
【０００７】
また、HIS２０１が止まっている場合、オーダ番号が発番できず、オーダが登録できない。このとき、検査オーダ用紙等の情報に基づき、RIS２０２でもオーダ番号は発番できるが、RIS２０２で発番したときに、HIS２０１にオーダが登録されていないことになり、該当する検査を実施していないように見えるという問題がある。また、事後でオーダ登録をするとHIS２０１で発番した番号とRIS２０２で発番した番号の整合性を取るのが大変なので、あえてオーダ番号を発番せずに撮影装置で撮影を行ってしまう方が楽な場面もあるが、被検者の誤認等の問題が生じる可能性がある。
【０００８】
また、検像装置又２０４又はPACS２０５が止まっている場合には、確認のために画像のフィルムを出力したりプリントアウトをする外、撮影画像を確認する方法がないという問題がある。
あるいは、撮影装置２０３に接続されるモダリティコンソールで確認することも考えられる。しかし、災害等の非常時においては、必要最低限の装置・機器を使用することが好ましく、画像を確認する手段が何ら得られない可能性がある。
【０００９】
本発明は、上記の背景に鑑みてなされたものであり、地震や台風等の大規模な災害発生時等の非常時であっても、撮影装置で撮影された画像を確認することが可能な情報管理システム、情報管理装置及び情報管理方法を提供することを目的とする。
【課題を解決するための手段】
【００１０】
本発明の情報管理システムは、撮影装置と、撮影装置と通信可能な情報管理装置と、情報管理装置と通信可能な検像装置とを含み、非常時、情報管理装置と検像装置との通信が切断され、撮影装置から送信される情報が情報管理装置に格納される。
【００１１】
上記構成からなる情報管理システムでは、地震や台風等の大規模な災害発生時等の非常時であっても、撮影装置で撮影された画像を確認することが可能となる。
【００１２】
本発明の一態様によれば、本発明の情報管理システムは、情報管理装置と通信可能なクライアント端末をさらに含み、情報管理装置に格納された情報をクライアント端末で閲覧可能である。
【００１３】
本発明の一態様によれば、本発明の情報管理システムは、検像装置と通信可能な記憶装置をさらに含み、通常時、検像装置から送信された情報が記憶装置に格納される。
【００１４】
本発明の一態様によれば、本発明の情報管理システムは、情報管理装置が、検像装置の機能を有し、記憶装置と通信可能である。
【００１５】
本発明の一態様によれば、本発明の情報管理システムは、情報管理装置に格納された情報を、クライアント端末の操作により修正可能である。
【００１６】
本発明の一態様によれば、本発明の情報管理システムは、撮影装置が、医用画像撮影装置である。
【００１７】
本発明の一態様によれば、本発明の情報管理システムは、撮影装置から送信される情報は、被検者の情報を含む付帯情報を含む。
【００１８】
本発明の一態様によれば、本発明の情報管理システムは、複数台の情報管理装置が通信網を介して接続されるか又は情報管理装置間で通信可能であり、情報管理装置間で情報を共有可能である。
【００１９】
本発明の一態様によれば、本発明の情報管理システムは、情報管理装置とクライアント端末とが、通信網を介さずに直接に通信可能である。
【００２０】
本発明の一態様によれば、本発明の情報管理システムは、記憶装置に格納された情報をクライアント端末で閲覧可能である。
【００２１】
本発明の一態様によれば、本発明の情報管理システムは、クライアント端末の操作により、撮影装置から送信される情報に関連付けられる二次情報を情報管理装置に格納可能である。
【００２２】
本発明の一態様によれば、本発明の情報管理システムは、二次情報は、被検者のトリアージタグの色、被検者の状態を含む。
【００２３】
本発明の一態様によれば、本発明の情報管理システムは、クライアント端末が撮像部を備え、撮像部から入力された画像又は動画を含む情報を、撮影装置から送信される情報と関連付けて情報管理装置に格納可能である。
【００２４】
本発明の情報管理装置は、撮影装置及びクライアント端末と通信可能な情報管理装置であって、非常時、撮影装置から送信される情報を格納して、クライアント端末からの要求に応じて、格納された情報をクライアント端末へ送信する。
【００２５】
上記構成からなる情報管理装置では、地震や台風等の大規模な災害発生時等の非常時であっても、撮影装置で撮影された画像を確認することが可能となる。
【００２６】
本発明の一態様によれば、本発明の情報管理装置は、検像装置と通信可能であり、通常時、撮影装置から送信される情報が格納されずに、検像装置へ送信される。
【００２７】
本発明の一態様によれば、本発明の情報管理装置は、検像装置の機能を有し、通常時、情報管理装置と通信可能な記憶装置に情報を送信する。
【００２８】
本発明の一態様によれば、本発明の情報管理装置は、情報管理装置に格納された情報を、クライアント端末の操作により修正可能である。
【００２９】
本発明の一態様によれば、本発明の情報管理装置は、複数台の情報管理装置が通信網を介して接続されるか又は情報管理装置間で通信可能であり、情報管理装置間で情報を共有可能である。
【００３０】
本発明の一態様によれば、本発明の情報管理装置は、情報管理装置とクライアント端末とが、通信網を介さずに直接に通信可能である。
【００３１】
本発明の情報管理方法は、撮影装置と、撮影装置と通信可能な情報管理装置と、情報管理装置と通信可能な検像装置と、情報管理装置と通信可能なクライアント端末とを含む情報管理システムにおける情報管理方法であって、非常時、情報管理装置と検像装置との通信を切断し、撮影装置から送信される情報を情報管理装置内に格納し、クライアント端末から情報管理装置内に格納された情報を閲覧可能な状態とする。
【００３２】
上記構成からなる情報管理方法では、地震や台風等の大規模な災害発生時等の非常時であっても、撮影装置で撮影された画像を確認することが可能となる。
【００３３】
本発明の一態様によれば、本発明の情報管理方法は、撮影装置が、医用画像撮影装置である。
【００３４】
本発明の一態様によれば、本発明の情報管理方法は、撮影装置から送信される情報は、被検者の情報を含む付帯情報を含む。
【００３５】
本発明の一態様によれば、本発明の情報管理方法は、複数台の情報管理装置が通信網を介して接続されるか又は情報管理装置間で通信可能であり、情報管理装置間で情報を共有可能である。
【００３６】
本発明の一態様によれば、本発明の情報管理方法は、情報管理装置とクライアント端末とが、通信網を介さずに直接に通信可能である。
【発明の効果】
【００３７】
本発明により、地震や台風等の大規模な災害発生時等の非常時であっても、撮影装置で撮影された画像を確認することが可能となる。
【図面の簡単な説明】
【００３８】
【図１】通常時における従来の情報管理システムの構成を説明するための概略的な図である。
【図２】非常時における従来の情報管理システムの構成を説明するための概略的な図である。
【図３】本発明の一実施形態に係る情報管理システムを説明するための概略的な図である。
【発明を実施するための形態】
【００３９】
以下、添付の図面を参照して本発明の実施形態を説明する。しかしながら、本発明がこれらの実施形態に限定されないことは自明である。
【００４０】
図３は、本実施形態に係る情報管理システムの概略的な図である。本実施形態に係る情報管理システム３００は、撮影装置３０１と、撮影装置３０１と通信可能な情報管理装置３０２と、情報管理装置３０２と通信可能な検像装置３０３とを含み、非常時、情報管理装置３０２と検像装置３０３との通信が切断され、撮影装置３０１から送信される情報が情報管理装置３０２に格納される。
【００４１】
上記構成からなる情報管理システム３００では、地震や台風等の大規模な災害発生時等の非常時であっても、撮影装置３０１で撮影された画像を確認することが可能となる。
【００４２】
以下に、本実施形態に係る情報管理システムの各構成要素について説明する。
【００４３】
［撮影装置］
撮影装置３０１は様々な種類があり、それぞれがDICOM規格（Digital Imaging and Communication in Medicine：医用画像のフォーマットや画像撮影装置の間の通信プロトコルを定義した規格である）に則った画像を生成することができる。例えばレントゲン装置、CT装置、MRI装置、心電図検査装置、超音波検査装置等が撮影装置として使われる。超音波検査装置や心電図検査装置、レントゲン装置等は院外に持ち出して撮影することも可能である。
【００４４】
本実施形においては、撮影装置３０１が、レントゲン装置、心電図検査装置、CT装置、MRI装置又は超音波検査装置であってもよい。
非常時に、これらの装置を利用可能であり、かつ撮影情報を確認できることで大規模な災害などにおいても医療行為が効率的に行える。
【００４５】
撮影装置３０１では、通常時、すなわち非常時以外の場合には、RIS３０７から送信される情報に基づいて撮影が行われる。
【００４６】
本実施形においては、撮影装置３０１から送信される情報は、被検者の情報を含む付帯情報を含むようにしてもよい。
【００４７】
通常時、あるいは非常時であっても、患者番号及び、検査を識別するための番号（検査番号）は、HIS３０６で発番（登録）され、それがRIS３０７に伝達され、さらにRIS３０７からMWMという規格を使って撮影装置へ伝達され、撮影装置によって撮影された画像の付帯情報（DICOMのタグと呼ばれる）に付加され、管理されるようにしてもよい。
通常時に、クライアントから記憶装置３０５に画像を問い合わせる時には、検査番号が一般的に用いられ、検査を識別することが可能となる。
【００４８】
DICOMタグ情報には、上記の検査番号に加え、患者に関する情報や検査に関する情報等、その画像についてのさまざまな情報が付加されるようにしてもよく、例えば、患者ID、名前、年齢、性別、生年月日等もDICOMのタグ情報として画像に付加される。
【００４９】
救急の患者が来た場合、名前等がわかればHIS３０６で登録をするが、意識不明等の理由で名前がわからない場合は仮の名前を付けて、後日正確な情報がわかったらデータを修正するようにしてもよい。また、非常時にHIS３０６が稼動しない場合であっても同様にしてよい。
【００５０】
DICOM規格は撮影画像だけではなく、一般的ファイル（PDFや動画ファイル等）をDICOM形式化することも可能である。医療の分野では、検査画像をDICOM形式にしてPACS等の記憶装置で管理するのが一般的であるが、本実施形態に係る管理システムにおいて、検査画像の形式は限定されずに適用することができる。
【００５１】
［情報管理装置］
【００５２】
情報管理装置３０２は、具体的には、非常時に持ち出せるハードウェアであることが好ましく、例えば、ノートPCなどが挙げられる。情報管理装置３０２は、携帯可能で、持ち出せる医療機器（例えば超音波、心電図、ポータブル撮影装置などを想定）とセットで利用することで、非常時に院内の医療機器やシステムと切り離して動作させることができる。
【００５３】
情報管理装置３０２としては、通常時は院内で使用している機材を災害時に持ち出して使うようにしてもよく、あるいは、非常時の専用として医療機器とセットで救急車などに搭載して、災害時だけ使うようにしてもよい。
【００５４】
情報管理装置３０２は、いわゆるゲートウェイとしての機能を有することが好ましい。撮影装置３０１との通信は、DICOM規格に則って行われるが、後述するクライアント端末との通信は、他の通信規格で行われるようにしてもよく、使用環境における通信速度等を考慮して適宜選択するとよい。
【００５５】
通常時には撮影装置３０１から情報管理装置３０２に画像を送信する。情報管理装置３０２は、画像を何も加工せず、検像装置３０３又は記憶装置３０５に送信する。
【００５６】
通常時には、情報管理装置３０２には画像を保管しないでもよい。すなわち、基本的に画像を通過させるだけのシステムとして動作させてもよい。
【００５７】
非常時には、情報管理装置３０２と検像装置３０３との通信が切断され、撮影装置３０１から送信される情報が情報管理装置３０２に格納される。
【００５８】
非常時、撮影装置３０１から情報管理装置３０２に画像されると、情報管理装置３０２は、検像装置３０３又は記憶装置３０５に画像を送信せず、情報管理装置３０２内の記憶部（データベース）に蓄積する。
【００５９】
通常時から災害時への動作の切り替えは、使用者の判断により、手動で行ってもよい。あるいは、検像装置３０３へのアクセスが不能となった状態を情報管理装置３０２が認識して、上記の動作をするように構成してもよい。
【００６０】
本実施形においては、複数台の情報管理装置３０２が通信網を介して接続されるか又は情報管理装置３０２間で通信可能であり、情報管理装置３０２間で情報を共有可能であってもよい。
これにより、非常時等の情報が輻輳した状況であっても、効率的な医療行為を支援することが可能となる。
【００６１】
また、非常時であっても、院内ネットワークが生きている場合は、情報管理装置３０２を災害用PACS、すなわち一時的な記憶装置として利用してもよい。
【００６２】
なお、情報管理装置３０２は、上記のような要件を満たせば、その形態は限定されない。
情報管理装置３０２は、上記の要件を満たすために、計算処理部、制御部、記憶部、通信部、表示部、操作部、入力部、出力部等を適宜備えることが好ましい。
【００６３】
［検像装置］
検像装置３０３は、通常時は、情報管理装置３０２から送信されるDICOM画像を受信する。検像装置３０３は、DICOM画像を記憶装置３０５へ送信して、記憶装置３０５においてDICOM画像を含む情報が蓄積される。
【００６４】
非常時には、情報管理装置３０２と検像装置３０３との通信が切断される。
【００６５】
なお、検像装置３０３は、上記のような要件を満たせば、その形態は限定されない。
検像装置３０３は、上記の要件を満たすために、計算処理部、制御部、記憶部、通信部、表示部、操作部、入力部、出力部等を適宜備えることが好ましい。
【００６６】
本実施形においては、情報管理装置が、検像装置の機能を有し、記憶装置と通信可能であってもよい。
情報管理装置３０２が検像装置３０３の少なくとも一部の機能を有することで、画像濃度や参照順などを編集することができ、画像を適切な状態に修正してから利用者に提供することが可能となる。また、情報処理装置３０２と検像装置３０３の機能が、同一の装置で動作するように機能することで、本システムに要する端末数を減らすことができる。
【００６７】
［クライアント端末］
上記の情報管理システム３００においては、撮影装置３０１と、撮影装置３０１と通信可能な情報管理装置３０２と、情報管理装置３０２と通信可能な検像装置３０３とを含み、非常時、情報管理装置３０２と検像装置３０３との通信が切断され、撮影装置３０１から送信される情報が情報管理装置３０２に格納され、情報管理装置３０２と通信可能なクライアント端末３０４をさらに含み、情報管理装置３０３に格納された情報をクライアント端末３０４で閲覧可能であってもよい。
【００６８】
上記構成からなる情報管理システムでは、地震や台風等の大規模な災害発生時等の非常時であっても、撮影装置で撮影された画像を確認することが可能となる。
【００６９】
クライアント端末３０４としては、災害時、画像を確認できる表示部を備えるものが好ましく用いられる。クライアント端末としては、スマートフォン、携帯電話、タブレット型端末、ノートPC、PC等が特に好ましい。
【００７０】
本実施形においては、情報管理装置３０２に格納された情報を、クライアント端末３０４の操作により修正可能であってもよい。
これにより、例えば身元不明者の身元確認が取れた場合などに、情報を最新の状態に更新することができる。
【００７１】
情報管理装置３０２はサーバの役割もするため、設置場所が限定される場合がある。これに対し、クライアント端末３０４は複数台用意されることが想定されるため、情報管理装置３０２で情報を変更する作業に替わり、手元のクライアント端末３０４で修正できる利点がある。
また、利用者の手元のクライアント端末３０４で修正することができれば、利用者が情報管理装置３０２で情報を更新する手間を要さないため、よりリアルタイムに正しい情報を登録（収集）することが可能となる。
【００７２】
クライアント端末３０４でDICOMタグを正しく修正する場合、修正は免許証・パスポート・住民基本台帳カードをICカードで読み取ることで、自動修正するようにしてもよい。また、携帯電話の電話帳や電話番号交換機能（IC・赤外線・バーコードなど）を使って修正できるようにしてもよい。
【００７３】
本実施形においては、クライアント端末３０４の操作により、撮影装置３０１から送信される情報に関連付けられる二次情報を情報管理装置３０２に格納可能であってもよい。
【００７４】
本実施形においては、二次情報は、被検者のトリアージタグの色、被検者の状態を含んでもよい。
ここで、トリアージタグは、傷病者に取り付けられるタグであって、傷病者の容体を色で表示する機能がある。トリアージタグの情報を二次的な情報としてDICOM画像と関連付けて格納することで、より確かな情報を蓄積することができ、診察や処置の緊急度を瞬時に判断し、対応順序を決定することができる。
【００７５】
DICOM画像に付加しない情報（二次情報）を、情報管理装置３０２又はクライアント端末３０４独自のDBに格納し、それを他のクライアント端末３０４でも参照できるようにしてもよい。
これにより、クライアント端末３０４が、例えば、災害用電子カルテやトリアージタグの代わりのような働きをする。このとき、情報は決められたテンプレートに入力するようにしても、文字のみで残してもよい。
【００７６】
本実施形においては、クライアント端末３０４が撮像部を備え、撮像部から入力された画像又は動画を含む情報を、撮影装置３０１から送信される情報と関連付けて情報管理装置３０２に格納可能であってもよい。
【００７７】
例えば、スマートフォン、携帯電話、タブレット型端末、ノートPCなどに搭載されているカメラを使って撮影した画像や動画を撮影DICOM画像と一緒に保存できるようにしてもよい。災害現場等で、受傷したキズの写真や、トリアージタグ自体を撮影して見れるようにしてもよい。また、既存の医用画像と一緒に保存してもいいし、医用画像が登録されていない患者の写真を新たに保存できるようにしてもよい。
【００７８】
また、画像に対してタグをつけて、どのような画像なのかを識別できるようにしてもよい。画像を貼り付けて、お絵かきできるようにしてもよく、情報は時系列に並べられ、患者の経過を追えるようにするようにしてもよい。
【００７９】
クライアント端末３０４でDICOMタグに新しく付加情報を記録する場合、例えばトリアージタグの色、患者の状態を記録してDICOMタグに登録するなど、画像に付加情報を記録するようにしてもよい。また、登録された情報（タグ）を、DICOM画像を検索する時に利用するようにしてもよい。例えばトリアージタグの色ごと、患者の状態で画像を検索し、緊急度の高いものから診察・処置をおこなうことができるようにしてもよい。
【００８０】
本実施形においては、情報管理装置３０２とクライアント端末３０４とが、通信網を介さずに直接に通信可能であってもよい。例えば、クライアント端末３０４と情報管理装置３０２とが、Wi-Fiを利用して通信可能であってもよい。
【００８１】
なお、上記のようなクライアント端末３０４の機能が、情報管理装置３０２で動作するようにしてもよい。
【００８２】
なお、クライアント端末３０４は、上記のような要件を満たせば、その形態は限定されない。クライアント端末３０４は、上記の要件を満たすために、計算処理部、制御部、記憶部、通信部、表示部、操作部、入力部、出力部等を適宜備えることが好ましい。
【００８３】
本実施形態に係る情報管理システムでは、情報管理装置３０２又はクライアント端末３０４が、上記の機能を実行するためのアプリケーションを有していてもよい。
【００８４】
［記憶装置］
上記の情報管理システム３００においては、撮影装置３０１と、撮影装置３０１と通信可能な情報管理装置３０２と、情報管理装置３０２と通信可能な検像装置３０３とを含み、非常時、情報管理装置３０２と検像装置３０３との通信が切断され、撮影装置３０１から送信される情報が情報管理装置３０２に格納され、検像装置３０４と通信可能な記憶装置３０５をさらに含み、通常時、検像装置３０４から送信された情報が記憶装置３０５に格納されるようにしてもよい。
【００８５】
通常時には、上記のように記憶装置３０５（病院内PACS等）には正しい情報のみが蓄積されることが好ましい。しかし非常時には、情報が不確かなまま診療を行うことが多いため、それらの情報が記憶装置３０５に登録され、正しくないまま放置されてしまうことを防ぐため、記憶装置３０５には、不確定情報を蓄積しないことが好ましい。
【００８６】
例えば、患者情報が不足した不確定なデータを蓄積すると、誤認の原因となる。非常事態が収束し、システムが復旧した後に、データを正しく修正してから記憶装置３０５に蓄積することが好ましい。
【００８７】
本実施形においては、記憶装置３０５に格納された情報をクライアント端末３０４で閲覧可能であってもよい。
非常時であっても、クライアント端末３０４から記憶装置３０５に格納された情報を閲覧できるようにすることで、適切な処置を実施出来たり、傷病者の確認が正確になされるといった利点がある。
【００８８】
なお、上記のシステムにおいて、HIS３０６が止まっている場合等は、患者番号・検査番号が発番できなくなるので、仮登録して、後日正しいものに修正するようにしてもよい。
【００８９】
なお、上記システムを構成する各装置は、複数台設置されていてもよい。
【００９０】
また、上記の情報管理システムにおいて、患者のフォロー登録ができるようにしてもよい。自分が担当している患者に対して、フォロー登録することが可能であり、フォローしている患者について情報の追加・修正が行われると、自分のログインしている端末に通知され、通知から追加・修正された情報にダイレクトアクセスすることができるようにしてもよい。フォロー登録は自分を登録するだけではなく、他人をフォローに加えることができ、担当医として他人を登録することができるようにしてもよい。
【００９１】
また、上記の情報管理システムにおいて、インターネット通話ができるようにしてもよい。お互いに同じ画像を見ながら、症例についてディスカッションや指示が複数名でできるようにしてもよい。例えばシステムIDや電話番号などで個人を識別して、相手を呼び出し、通話ができるようにしてもよい。
【００９２】
この時、クライアント端末３０４に搭載されているカメラを使って、インターネット通話を利用することも可能である。また、インターネット通話が始まったことを、その患者をフォローしている他のユーザに知らせ、通話に加わるように促すことができるようにしてもよい。この時の動画・音声・文字は災害システムに録画・録音・記録することが出来、後からもう一度見ることもできるようにしてもよい。
【００９３】
動画・音声・文字は画像と紐づけて保存されることにより、簡単に呼び出すこともできる。動画・音声は文字変換機能で文字に変換され、保存されるようにしてもよい。また、情報は時系列に並べられ、患者の経過を追えるようにするとことが好ましい。
【００９４】
また、上記の情報管理システムにおいて、非DICOMデータのDICOM化ができるようにしてもよい。上記の情報管理システムを構成する装置・機器で作成された、動画、静止画、音声、文字、テンプレートはDICOM形式に変換して、保存することもできる。
【００９５】
また、上記の情報管理システムにおいて、例えば情報管理装置３０２に格納されたデータを持ち出せるようにしてもよい。また他院紹介用のCD・DVDが焼けるようにしてもよい。
【００９６】
クライアント端末３０４はデータを参照するだけに使用されても良いし、クライアント端末３０４にデータを保存し、持ち歩くこともできるようにしてもよい。持ち歩くときには、患者情報をそのまま消去せずに保存しても良いし、セキュリティの観点から匿名化して端末に保存するようにしてもよい。患者情報の匿名化をするときには医用画像匿名化ガイドラインに則って匿名化されるとより好ましい。
【００９７】
また、上記の情報管理システムにおいて、データを他のシステムに送信するようにしてもよい。主に災害復旧後、情報管理装置３０２に格納されたデータをPACS等の記憶装置３０５に送信するようにしてもよい。
【００９８】
次に、本発明の他の実施形態に係る情報管理装置について説明する。下記の実施形態に係る情報管理装置、並びに他の構成要素は、基本的には先述の実施形態と同様である。
【００９９】
本実施形態に係る情報管理装置は、撮影装置及びクライアント端末と通信可能な情報管理装置であって、非常時、撮影装置から送信される情報を格納して、クライアント端末からの要求に応じて、格納された情報をクライアント端末へ送信する。
【０１００】
上記構成からなる情報管理装置では、地震や台風等の大規模な災害発生時等の非常時であっても、撮影装置で撮影された画像を確認することが可能となる。
【０１０１】
本実施形態に係る情報管理装置は、検像装置と通信可能であり、通常時、撮影装置から送信される情報が格納されずに、検像装置へ送信されるようにしてもよい。
【０１０２】
本実施形態に係る情報管理装置は、検像装置の機能を有し、通常時、情報管理装置と通信可能な記憶装置に情報を送信するようにしてもよい。
【０１０３】
本実施形態に係る情報管理装置は、情報管理装置に格納された情報を、クライアント端末の操作により修正可能であってもよい。
【０１０４】
本実施形態に係る情報管理装置は、複数台の情報管理装置が通信網を介して接続されるか又は情報管理装置間で通信可能であり、情報管理装置間で情報を共有可能であってもよい。
【０１０５】
本実施形態に係る情報管理装置は、情報管理装置とクライアント端末とが、通信網を介さずに直接に通信可能であってもよい。
【０１０６】
次に、本発明の他の実施形態に係る情報管理方法について説明する。下記の実施形態に係る情報管理装置、並びに他の構成要素は、基本的には先述の実施形態と同様である。
【０１０７】
本実施形態に係る情報管理方法は、撮影装置と、撮影装置と通信可能な情報管理装置と、情報管理装置と通信可能な検像装置と、情報管理装置と通信可能なクライアント端末とを含む情報管理システムにおける情報管理方法である。
当情報管理方法では、非常時、情報管理装置と検像装置との通信を切断し、撮影装置から送信される情報を情報管理装置内に格納し、クライアント端末から情報管理装置内に格納された情報を閲覧可能な状態とする。
【０１０８】
上記構成からなる情報管理方法では、地震や台風等の大規模な災害発生時等の非常時であっても、撮影装置で撮影された画像を確認することが可能となる。
【０１０９】
本実施形態に係る情報管理方法は、撮影装置が、レントゲン装置、心電図検査装置、CT装置、MRI装置又は超音波検査装置であってもよい。
【０１１０】
本実施形態に係る情報管理方法は、撮影装置から送信される情報は、被検者の情報を含む付帯情報を含んでもよい。
【０１１１】
本実施形態に係る情報管理方法は、複数台の情報管理装置が通信網を介して接続されるか又は情報管理装置間で通信可能であり、情報管理装置間で情報を共有可能であってもよい。
【０１１２】
本実施形態に係る情報管理方法は、情報管理装置とクライアント端末とが、通信網を介さずに直接に通信可能であってもよい。
【符号の説明】
【０１１３】
１００、２００  システム
１０１、２０１  HIS
１０２、２０２  RIS
１０３、２０３  撮影装置
１０４、２０４  検像装置
１０５、２０５  PACS
１０６、２０６  クライアント
１０７、２０７  モダリティコンソール
３００  情報管理システム
３０１  撮影装置
３０２  情報管理装置
３０３  検像装置
３０４  クライアント端末
３０５  記憶装置
３０６  HIS
３０７  RIS
３０８  モダリティコンソール
【図１】
2016206815.tif 000003
【図２】
2016206815.tif 000004
【図３】
2016206815.tif 000005